(57)【特許請求の範囲】
【請求項１】
動物の通行を阻止する動物用柵において、ワイヤの張設方向を変更するコーナー部に設置する動物用恒久柵のコーナーポストであって、
一端から所定長さが地面に埋め込まれ、地面に対して垂直方向に立設される剛性を備えた支柱と、
前記支柱の、地面から露出する部分に設けられ、前記動物用恒久柵に張設される少なくとも１本の前記ワイヤを保持するワイヤ保持器と、
前記ワイヤ保持器の先端に回転軸によって取り付けられ、回転することにより前記ワイヤの保持位置を変更可能なプーリーとを備え、
前記ワイヤ保持器は、前記ワイヤに動物の前記動物用恒久柵への突入による追加の引張力が作用した場合に、前記プーリーを元の位置から前記支柱に張設されたワイヤがなす内角の範囲内で前記支柱から前記追加の引張力を軽減させる方向に移動させて前記ワイヤの前記コーナー部における保持位置を変え、前記ワイヤへの前記引張力が消滅した場合に、前記プーリーを元の位置に復帰させることを特徴とする動物用恒久柵のコーナーポスト。
【請求項２】
前記ワイヤ保持器が、
前記支柱に固定されるブラケットと、
前記ブラケットに一端が回動可能に取り付けられる第１アームと、
前記第１アームの先端部に回動可能に取り付けられる第２アームと、
前記第１と第２アームが接近する方向に付勢する付勢部材とを備え、
前記プーリーは、前記第２アームの先端部に回動可能に設けられた留め具の一端を前記回転軸として、水平方向に回転可能に取り付けられていることを特徴とする請求項１に記載の動物用恒久柵のコーナーポスト。
【請求項３】
前記ワイヤ保持器が、
前記支柱を水平方向に貫通するガイド孔と、
前記ガイド孔に対して摺動可能に挿通され、前記ガイド孔の一方の開口から突出する端部に前記プーリーを回転可能に取り付ける鉤状部を備え、前記ガイド孔の他方の開口から突出する端部にバネ受を備えるロッドと、
前記支柱と前記バネ受との間の前記ロッドに取り付けられる付勢部材とを備えることを特徴とする請求項１に記載の動物用恒久柵のコーナーポスト。
【請求項４】
前記付勢部材がコイルスプリングであることを特徴とする請求項３に記載の動物用恒久柵のコーナーポスト。
【請求項５】
前記付勢部材が２枚の板バネを対向させたリーフスプリングであることを特徴とする請求項３に記載の動物用恒久柵のコーナーポスト。
【請求項６】
前記付勢部材が中実または中空のゴム部材であることを特徴とする請求項３に記載の動物用恒久柵のコーナーポスト。
【請求項７】
前記ワイヤ保持器が、
前記支柱を水平方向に貫通する筒状のガイド孔と、
前記ガイド孔に対して摺動可能に挿通されたケーブルと、
前記ガイド孔の一方の開口から突出する前記ケーブルの端部に取り付けられ、前記プーリーを水平方向に回転可能に取り付ける留め具と、
前記ガイド孔の他方の開口から突出する前記ケーブルの端部に取り付けられ、前記ガイド孔の下方に垂れ下がるおもりとを備えることを特徴とする請求項１に記載の動物用恒久柵のコーナーポスト。
【請求項８】
前記ワイヤ保持器が、
前記支柱に固定されるブラケットと、
前記ブラケットに一端が回動可能に取り付けられる第１のアームと、
前記第１のアームの先端部に回動可能に取り付けられる第２のアームと、
前記第１と第２のアームの連結部に設けられて、前記連結部を前記地面の方向に移動させる力を与えるおもりとを備え、
前記プーリーは、前記第２のアームの先端部に回動可能に取り付けられた留め具の一端を前記回転軸として、水平方向に回転可能に取り付けられていることを特徴とする請求項１に記載の動物用恒久柵のコーナーポスト。
【請求項９】
前記ワイヤ保持器が、
前記支柱に固定されるブラケットと、
前記ブラケットに中央部が固定された弾性部材で形成されたアームと、
前記アームの両端部に回転可能に取り付けられて前記ワイヤが掛け渡される前記プーリーとを備えることを特徴とする請求項１に記載の動物用恒久柵のコーナーポスト。
【請求項１０】
前記アームの一方の端部近傍には、長さが前記アームよりも短く、弾性部材で形成された増設アームの基部が固定され、
前記増設アームの先端部には、前記ワイヤを掛け渡す前記プーリーが回転可能に取り付けられていることを特徴とする請求項９に記載の動物用恒久柵のコーナーポスト。
【請求項１１】
前記ワイヤ保持器が、
２つの脚が直交するコイルバネと、
前記コイルバネの一方の脚の先端部に回転可能に取り付けられて前記ワイヤが掛け渡される前記プーリーとを備え、
前記コイルバネの他方の脚の先端部は先細に形成されると共にネジ部が設けられ、
前記ネジ部は、前記ワイヤの張設高さに対応する前記支柱の側面に水平方向にねじ込まれ、
前記ワイヤ保持器は、前記ワイヤに作用する前記引張力によって、前記コイルバネが捩れて前記プーリーを移動させることを特徴とする請求項１に記載の動物用恒久柵のコーナーポスト。
【請求項１２】
前記ワイヤ保持器が、
前記支柱の地面に近い部位で、前記支柱を水平方向に貫通する第１ガイド孔と、
前記支柱の先端部近傍で、前記支柱を水平方向に貫通する第２ガイド孔と、
複数個の前記プーリーを串刺し状態で回転可能に保持するプーリー軸と、
前記第１ガイド孔に対して移動可能に挿通され、前記第１ガイド孔の一方の開口から突出する端部に前記プーリー軸の下端を回転保持するプーリー軸回転保持部を備え、前記第１ガイド孔の他方の開口から突出する端部にバネ受を備えるロッドと、
前記支柱と前記バネ受との間の前記ロッドに取り付けられる付勢部材と、
前記第２ガイド孔に対して移動可能に挿通され、前記第２ガイド孔の一方の開口から突出する端部に前記プーリー軸を係止するフック部を備え、前記第２ガイド孔の他方の開口から突出する端部にはおもりが取り付けられているケーブルとを備え、
前記ワイヤは、前記ワイヤの張設高さに対応する複数個の前記プーリーの幾つかに掛け渡され、前記ワイヤ保持器は、前記ワイヤに作用する前記引張力によって、前記付勢部材を圧縮しながら前記ロッドを移動させると共に、前記おもりを引き上げながら前記ケーブルを移動させることを特徴とする請求項１に記載の動物用恒久柵のコーナーポスト。
【請求項１３】
前記ワイヤ保持器が、回転機構により、前記支柱の軸線の回りを回転できることを特徴とする請求項１または２に記載の動物用恒久柵のコーナーポスト。
【発明の詳細な説明】
【技術分野】
【０００１】
本発明は動物用恒久柵のコーナーポストに関し、特に、恒久的に設置する牧柵や電気柵のような動物用恒久柵におけるワイヤや導電ワイヤの張設時に、ポストの左右でワイヤの張設方向を変更するコーナーポストの改良に関する。
【背景技術】
【０００２】
我が国における耕作放棄地の拡大に伴い、耕作放棄地に牛や山羊、豚等の家畜を放牧する試みがある。耕作放棄地への家畜の放牧に際しては、家畜が耕作放棄地から出ないようにするために動物用の柵が設けられる。一方、近年、山林に住む野生動物が人里に下りてきて農作物を食い荒らす食害が深刻化している。家畜放牧の囲いや、野生動物による耕作地への侵入防止対策として、耕作地の周囲に適切な間隔でポスト（支柱）を設置して動物用の柵で囲むことが行われる。このような動物用の柵には、ポストにワイヤを掛け渡したり、ポスト間にフェンスを取り付けた牧柵が用いられる。
【０００３】
しかし、ワイヤやフェンスを用いた動物用の柵は、家畜や野生動物によって容易に破られることが多い。このため、ポストに張り巡らすワイヤを導電ワイヤ（以後単にワイヤと言う）とし、ワイヤに高い電圧を印加して、ワイヤに触れた家畜や野生動物を電気ショックで追い払う動物用の電気柵が普及しつつある。
【０００４】
電気柵は、動物の侵入を阻止したい耕作地の周囲に間隔を開けて設置したポストに、ワイヤを地面とは絶縁された状態で架線し、ワイヤに高電圧発生電源を接続してワイヤに高電圧の電気を一定の時間間隔で通電する柵である。電気柵は、架線されたワイヤに動物が触れると動物に電気ショックが与えられるので、ショックに怯えた動物がワイヤに近づかなくなる効果がある。高電圧の電気を印加するワイヤは、絶縁碍子をポストに取り付けて架線したり、ポストを絶縁材で形成して地面に平行に張ることが行われている。
【０００５】
ところが、ワイヤをポストに取り付けて架線し、地面に平行に張る架線方法では、動物の侵入でワイヤが動物の脚や角に引っかかって引っ張られると、その引張荷重が近傍のポストに加わり、ワイヤの伸長がない場合、ワイヤの切断、ワイヤを架線する碍子の破損、或いはポストの座屈が起こる。ワイヤが碍子上で固定されていない場合、ワイヤが引っ張られることによって生じる引張荷重は、牧柵のコーナーに設置したコーナーポストに加わる。コーナーポストに加わる引張荷重がコーナーポストの物理的許容範囲内ならばワイヤが切れる場合がある。また、ワイヤが丈夫な場合は、コーナーポストの変形若しくは破壊により、電気柵として機能しなくなるという問題があった。
【０００６】
そこで、引用文献１に開示の牧柵では、コーナーポスト（中心柱）を牧柵の外側に固定点を持つ支線で支持すると共に、コーナーポストから所定距離離れた左右の位置に本柱を設け、コーナーポストと本柱の間を連結棒やターンバックルで連結して補強している。更に、本柱は一端を地面に固定した斜めの支柱で保持している。また、特許文献２に開示の電気式牧柵では、コーナーポスト（主杭）の地中部の異なる深さの部分に、補強枠として２本の横木を平行に取り付けると共に、主杭を一端を地面に固定した斜めの支柱で保持している。斜めの支柱の地中部にも横木が取り付けられている。
【０００７】
一方、コーナーポストを屈強に構成する逆の発想として、特許文献３には複数のワイヤを、柔軟な素材を用いたポストを用いて地面に平行に張るものが提案されている。
【先行技術文献】
【特許文献】
【０００８】
【特許文献１】特開昭５０−１１０８７５号公報
【０００９】
【特許文献２】特開昭６１−３１０３１号公報
【００１０】
【特許文献３】特開２００９−１９５２２９号公報
【発明の概要】
【発明が解決しようとする課題】
【００１１】
ところが、特許文献１や特許文献２に開示のコーナーポストには、コーナーポストの倒壊を防止するための補強部材が数多く取り付けられているので、コーナーポストの設置工数が大きいと共に、設置コストが高いという課題があった。また、引用文献３に開示のポストでは、柔軟な素材を用いた安価なポストを製作し、これをワイヤの張設方向を変更するコーナー部に設置すると、複数段のワイヤを設置する場合、１つのワイヤに大きな荷重（テンション）を加えると他のワイヤが弛んでしまい、全てのワイヤを水平に設置できずに柵としての効果が低下するか、柵の機能が無くなった。更に、引用文献３に開示のポストは１本の柱状体で構成されるので、このポストをコーナー部に設置すると、張設したワイヤに動物が突入して動物の脚や角がワイヤに引っかかり、瞬時に過大な荷重が加わると湾曲したままになったり、折れたりして、元の形状に復元できずに倒壊するという課題があった。
【００１２】
本発明の目的は、動物用恒久柵のワイヤが動物によって引っ張られた場合に、コーナーポストの剛性を備えた支柱に取り付けたワイヤ保持器に移動とワイヤの保持位置の変更をさせ、動物による荷重の解放後にはワイヤ保持器とワイヤを元の状態に戻すことにより、ワイヤ切断の虞のない動物用恒久柵のコーナーポストを提供することである。
【課題を解決するための手段】
【００１３】
１つの形態によれば、動物の通行を阻止する動物用柵において、ワイヤの張設方向を変更するコーナー部に設置する動物用恒久柵のコーナーポストであって、一端から所定長さが地面に埋め込まれ、地面に対して垂直方向に立設される剛性を備えた支柱と、支柱の、地面から露出する部分に設けられ、動物用恒久柵に張設される少なくとも１本のワイヤを保持するワイヤ保持器と、ワイヤ保持器の先端に回転軸によって取り付けられ、回転することによりワイヤの保持位置を変更可能なプーリーとを備え、ワイヤ保持器は、ワイヤに動物の動物用恒久柵への突入による追加の引張力が作用した場合に、プーリーを元の位置から支柱に張設されたワイヤがなす内角の範囲内で支柱から追加の引張力を軽減させる方向に移動させてワイヤのコーナー部における保持位置を変え、ワイヤへの引張力が消滅した場合に、プーリーを元の位置に復帰させることを特徴とする動物用恒久柵のコーナーポストが提供される。
【発明の効果】
【００１４】
本発明の牧柵用コーナーポストによれば、ワイヤや電気柵用の架線されたワイヤが動物によって引っ張られ、ポストに大きな荷重がかかっても、その荷重を吸収し、荷重が解放された後に元の状態に復帰することが可能であり、ボストの破損、ワイヤの断線や弛みの発生を防止することができるという効果がある。
【図面の簡単な説明】
【００１５】
【図１】（ａ）はワイヤをコーナーポストの内側で保持した電気柵の一例の構成を示す斜視図、（ｂ）はワイヤをコーナーポストの外側で保持した電気柵の他の例のコーナーポストを示す斜視図である。
【図２】（ａ）は図１（ｂ）に示したコーナーポストにワイヤからの荷重が加わった時のコーナーポストの変形例を示す斜視図、（ｂ）は図１（ｂ）に示したコーナーポストに補助ポストを設置した変形例を示す斜視図である。
【図３】（ａ）は動物用簡易柵の、独立したコーナーポストの側面図、（ｂ）は（ａ）に示したコーナーポストが引張荷重により座屈倒壊した状態を示す側面図である。
【図４】（ａ）は動物用簡易柵の、補助ポストで補強されたコーナーポストの側面図、（ｂ）は（ａ）に示したコーナーポストが引張荷重により座屈倒壊した状態を示す側面図である。
【図５】（ａ）は四隅にコーナーポストを備える動物用柵の一例の平面図、（ｂ）は（ａ）に示した動物用柵のワイヤを動物が引掛けた状態を示す平面図、（ｃ）は（ｂ）に示した状態から動物が更にワイヤを引っ張った状態を示す平面図である。
【図６】（ａ）は四隅に本発明のコーナーポストを備える動物用柵に動物が接触していない時のワイヤの状態を示す平面図、（ｂ）は（ａ）に示した動物用柵の内部に動物が侵入し、ワイヤが内部に引張られた状態を示す平面図、（ｃ）は（ａ）に示した動物用柵のワイヤを動物が外側に引っ張った状態を示す平面図である。
【図７】一辺が５０ｍの矩形状の動物用柵において、４つのコーナーポストの内の１つのコーナーポストに取り付けられた架線具を動物用柵の内側に移動可能にした時に、ワイヤが内側に４ｍ引っ張られた時の移動可能な１つの架線具の移動量Ｓ１を、ＣＡＤで計算して拡大して示す説明図である。
【図８】一辺が５０ｍの矩形状の動物用柵において、４つのコーナーポストの内の２つのコーナーポストに取り付けられた架線具を動物用柵の内側に移動可能にした時に、ワイヤが内側に４ｍ引っ張られた時の２つの移動可能な架線具の移動量Ｓ１を、ＣＡＤで計算して拡大して示す説明図である。
【図９】（ａ）は本発明のコーナーポストの第１の実施例の構造を示す部分側面図、（ｂ）は（ａ）に示したコーナーポストの動作を示す部分側面図、（ｃ）は留め具とアームの接続部の別の例を示す側面図、（ｄ）は留め具とアームの接続部の更に別の例を示す側面図、（ｅ）はブラケットの回転機構を示す図である。
【図１０】（ａ）は本発明のコーナーポストの第２の実施例の構造を示す側面図、（ｂ）は（ａ）に示したコーナーポストの動作を示す部分側面図、（ｃ）は本発明のコーナーポストの第２の実施例の変形例の構造を示す部分側面図、（ｄ）は本発明のコーナーポストの第２の実施例の別の変形例の構造を示す部分側面図、（ｅ）は本発明のコーナーポストの第２の実施例の別の変形例の構造を示す部分側面図である。
【図１１】本発明のコーナーポストの第３の実施例の構造を示す側面図である。
【図１２】本発明のコーナーポストの第４の実施例の構造を示す側面図である。
【図１３】（ａ）は本発明のコーナーポストの第５の実施例の構造を示す側面図、（ｂ）は（ａ）に示したコーナーポストの動作を示す側面図である。
【図１４】（ａ）は本発明のコーナーポストの第６の実施例の構造を示す側面図、（ｂ）は（ａ）に示したコーナーポストの動作を示す側面図である。
【図１５】（ａ）は本発明のコーナーポストの第７の実施例に用いるワイヤ保持器とプーリーの構造を示す側面図、（ｂ）は（ａ）に示したワイヤ保持器とプーリーの平面図、（ｃ）は（ａ）に示したワイヤ保持器とプーリーを使用した本発明のコーナーポストの第７の実施例の構造を示す側面図、（ｂ）は（ａ）に示したコーナーポストの動作を示す部分側面図である。
【図１６】（ａ）は本発明のコーナーポストの第８の実施例の構造を示す側面図、（ｂ）は（ａ）に示したコーナーポストの動作を示す側面図である。
【図１７】（ａ）はワイヤ保持器に取り付けるワイヤ外れ止め付プーリーの断面図、（ｂ）はワイヤ保持器に取り付けるプーリーの溝の形状の一例を示すプーリーの断面図、（ｃ）は（ａ）に示したプーリーが搖動可能にアームの先端部に取り付けられた状態の側面図、（ｄ）はワイヤ保持器に取り付けられたプーリーへのワイヤの取付方法の一例を示す側面図、（ｅ）はワイヤ保持器へのプーリーの別の取付例を示す側面図である。
【図１８】本発明のコーナーポストの第９の実施例の組み立てを説明する組立図である。
【図１９】本発明のコーナーポストの第９の実施例の構造を示す側面図である。
【図２０】（ａ）は本発明のコーナーポストと共に用いる中間ポストの回転機構の第１の実施例の組み立てを示す組立斜視図、（ｂ）は（ａ）の組み立て方法により組み立てられた中間ポストの部分斜視図である。
【図２１】図２０（ｂ）に示した中間ポストの変形例を示す部分斜視図である。
【図２２】（ａ）は本発明のコーナーポストと共に用いる中間ポストの回転機構の第２の実施例を示す斜視図、（ｂ）は（ａ）に示した回転機構へのワイヤの挿通を説明する正面図、（ｃ）は（ｂ）に示した方法によって回転機構にワイヤが保持された状態を示す正面図である。
【図２３】本発明のコーナーポストと共に用いる中間ポストの回転機構の第３の実施例を示す斜視図
【図２４】（ａ）は本発明のコーナーポストと共に用いる中間ポストの回転機構の第４の実施例の組み立てを示す組立斜視図、（ｂ）は（ａ）の組み立て方法により組み立てられた回転機構の斜視図である。
【図２５】（ａ）は本発明のコーナーポストと共に用いる中間ポストの回転機構の第５の実施例の取り付けを示す組立斜視図、（ｂ）は（ａ）の取り付け方法により形成された回転機構の斜視図である。
【図２６】本発明のコーナーポストと共に用いる中間ポストの回転機構の第６の実施例の斜視図である。
【図２７】（ａ）は本発明のコーナーポストと共に用いる中間ポストの回転機構の第７の実施例の組み立て斜視図、（ｂ）は（ａ）のＸ−Ｘ線における部分断面図、（ｃ）は（ａ）に示したスライド式ワイヤ保持器の側面図、（ｄ）は第７の実施例の中間ポストの使用状況を示す斜視図である。
【図２８】（ａ）は本発明のコーナーポストと共に用いる中間ポストの回転機構の第８の実施例の組み立て斜視図、（ｂ）は（ａ）に示した回転機構の本体部の側面図、（ｃ）は第８の実施例の中間ポストの使用状況を示す側面図である。
【発明を実施するための形態】
【００１６】
以下、添付図面を用いて本出願の実施の形態を、具体的な実施例に基づいて詳細に説明するが、本発明の実施例を説明する前に、本発明を為すに至った経緯について、従来の電気柵を例にとって説明する。なお、以下に示す実施例では、動物用恒久柵に使用するコーナーポストとして、電気柵に使用するコーナーポストを説明するが、本発明のコーナーポストは、電気柵以外の単にワイヤを張り巡らす簡易的な動物用簡易柵のコーナーポストにも適用できる。
【００１７】
図１（ａ）は恒久的に設置する電気柵１０の構成を示すものである。電気柵１０は、例えば、耕作地Ｃの周囲に太く丈夫なポスト１を設置し、ポスト１に複数本の導電性のワイヤ２を平行に張り巡らし、各ワイヤ２に高電圧を発生する電源９から高い電圧を印加して、ワイヤ２に触れた野生動物を電気ショックで追い払い、動物の通行を阻止するものである。この例の電気柵１０は平面視矩形状をしており、４つのコーナー部に４本の牧柵用のポスト１が設けられているが、実際の恒久的な電気柵１０は耕作地Ｃの形状に合わせて設置され、ポスト１の間が長い場合には途中に中間ポストが設けられる。ワイヤ２は強靭な金属製の線であり、１本当たり５０〜１５０ｋｇｆ程度の張力で張設されている。
【００１８】
図１（ａ）に示した恒久的な電気柵１０では、ワイヤ２は架線具６によってポスト１の内側に張設されているたが、ワイヤ２は絶縁型の架線具６によってポスト１の内側に張設される形態ばかりではない。図１（ｂ）は、ワイヤ２がポスト１の外側に保持された恒久的な電気柵１０Ａを示している。図１（ｂ）にはワイヤ２がポスト１の外側に直接係止されているように描かれているが、実際には、ポスト１とワイヤ２との間にはコーナーポストの外側に絶縁型の架線具６が設けられている。
【００１９】
電気柵１０、１０Ａでは、通常は野生動物がワイヤ２に触れると電気ショックを受けるので、ワイヤ２には野生動物による荷重が加わり難い。しかし、何らかの原因でワイヤ２に野生動物が突っ込み、図２（ａ）に示す電気柵１０Ａの例のように、ワイヤ２が耕作地Ｃ側に矢印Ｆで示すように引っ張られると、ポスト１に加わるワイヤ２からの引っ張り荷重で、コーナーに設置された太く丈夫なポスト１でも破線で示すように倒れ、ポスト間のワイヤ２が緩み、フェンスとして機能しなくなる問題があった。
【００２０】
そこで、図２（ｂ）に示す電気柵１０Ｂのように、電気柵１０Ｂのコーナーに設置するポスト１の耕作地Ｃ側に、ポスト１を耕作地Ｃ側から支える補助ポスト３を斜めに設けて補強することが行われる。ポスト１の長手方向にはワイヤ２を架線するための架線具６が所定間隔で設けられている。
【００２１】
一方、図３（ａ）は簡易的に設置するポスト１に設けられた架線具６にワイヤ２が架け渡された動物用簡易柵の一般的なコーナーポストＣＰの側面図である。図３（ａ）に示したコーナーポストＣＰは、恒久的な柵のコーナーポストに比べてポスト１が細く、物理的にも強度の劣る材料で形成されているので、例えば肉厚０．５〜０．７５ｍｍの樹脂被覆鋼管等のワイヤ２が動物によって引っ張られた時の応力でポスト１が地面の近くで座屈して倒壊する場合がある（図３（ｂ）参照）。これに対して、図４（ａ）に示すコーナーポストＣＰのように、簡易柵用のポスト１に、簡易柵用の補助ポスト３を耕作地Ｃから斜めに取り付け、補助ポスト３の先端部をバインド線等の連結部材４によって完全に固定することが行われる。しかし、図４（ａ）に示す構造でも、ワイヤ２が動物によって引っ張られた時の応力がかなり大きい場合には、図４（ｂ）に示すように、ポスト１と補助ポスト３の両方が座屈し、柵の機能が失われる場合がある。このように、ポスト１を補助ポスト３で補強してもコーナーポストＣＰが折れ曲がる一因として、補助ポスト３の先端部が連結部材４によってポスト１に強固に固定されて自由度がないことが考えられる。
【００２２】
一方、本発明者らは、図５（ａ）に示した４つのコーナーポストＣＰにワイヤ２が張り巡らされた矩形の動物用恒久柵５に、図５（ｂ）に示したように動物Ａが侵入して後ろ脚でワイヤ２を引掛け、図５（ｃ）に示すように、かなり奥まで動物Ａが侵入した場合の動物用恒久柵５の変形について検証した。コーナーポストＣＰは屋外の地面に立て、検証における動物用恒久柵５のコーナーポストＣＰの間の距離は５０ｍとし、ワイヤ２はコーナーポストに固定せず移動可能とした。この状況で、ワイヤ２が引っ張られた場合のワイヤ２の移動及びコーナーポストＣＰの撓みについて検証した。
【００２３】
この結果、動物Ａの侵入距離に比べて、ワイヤ２をコーナーポストＣＰに固定せず、移動可能にすると、ワイヤ２が切れないために必要とされる長さは意外に小さいことが判明した。そして、ワイヤ２に一瞬の荷重が印加された場合、コーナーポストＣＰが一瞬倒れ込むと共にワイヤ２が移動し、荷重が無くなった時点でコーナーポストＣＰとワイヤ２が元の位置に戻れるならば、ワイヤ２の伸び代を確保でき、コーナーポストＣＰの倒壊とワイヤ２の切断を防止できることを見出した。
【００２４】
具体的に説明すると、例えば、図６（ａ）に示す一辺５０ｍの矩形状の動物用恒久柵５において、図６（ｂ）に示すように、動物が侵入して内側にワイヤ２を４ｍ引っ張った場合を考える。この場合、引っ張られたワイヤ２の両側に位置するコーナーポストＣＰが矢印で示すように、コーナーポストＣＰに張設されたワイヤ２がなす内角の範囲内で元の位置から離れる方向、即ち内側に約２０ｃｍ程度倒れ込んだとすると、ワイヤ２は破線で示すように移動し、ワイヤ２の伸び代が確保できることが分った。実際には、動物がワイヤ２を引張った場合は、ワイヤ２が内側に４ｍ引っ張られる前に動物は体をかわし、動物がワイヤ２から外れるので、コーナーポストＣＰが倒壊することは殆どない。
【００２５】
ここで、図６（ｂ）、（ｃ）に示したように、ワイヤ２が引っ張られた時に、ワイヤ２を移動させることができる本発明の動物用柵のコーナーポストＣＰの動作を確認するために、本発明者らはＣＡＤを用いて２通りのシミュレーションを行い、その結果を図７及び図８に示した。図７は、一辺が５０ｍの矩形状の動物用柵において、４つのコーナーポストの内の１つのコーナーポストに取り付けられた架線具を動物用柵の内側に移動可能にした時の、架線具の移動量Ｓ１を計算したものである。この計算の結果、ワイヤが内側に４ｍ引っ張られた場合は、移動可能な１つの架線具の移動量Ｓ１は４２．１ｃｍとなった。
【００２６】
また、図８は、一辺が５０ｍの矩形状の動物用柵において、４つのコーナーポストの内の２つのコーナーポストに取り付けられた架線具を動物用柵の内側に移動可能にした時の、架線具の移動量Ｓ１を計算したものである。この計算の結果、ワイヤが内側に４ｍ引っ張られた場合は、移動可能な２つの架線具の移動量Ｓ１は２１．４ｃｍとなった。同様に、図示は省略するが、４つのコーナーポストの内の４つのコーナーポストに取り付けられた架線具を動物用柵の内側に移動可能にした場合は、４つの架線具の移動量Ｓ１は１１．０ｃｍで済むことが分った。
【００２７】
この状況は、一辺５０ｍの矩形状の動物用恒久柵５の内部にいる動物が、図６（ｃ）に示すように外側にワイヤ２を４ｍ引っ張った場合も同様である。この場合も、引っ張られたワイヤ２の両側に位置するコーナーポストＣＰが矢印で示すように内側に約２０ｃｍ程度倒れ込むことになり、ワイヤ２は破線で示すように移動し、ワイヤ２の伸び代が確保できる。
【００２８】
上述の例では、２箇所のコーナーポストＣＰとワイヤ２が共に架線具の移動によって、ワイヤ２の伸び代が確保されるが、ワイヤ２を移動できるコーナーポストＣＰの数は何か所でも効果がある。前述の検証と同じ条件で、ワイヤ２が外側に引っ張られた場合も、移動するコーナーポストＣＰの数が１箇所の場合はコーナーポストＣＰの移動量が４２．１ｃｍ、２箇所の場合は２１．４ｃｍ、４箇所全てに移動できるコーナーポストＣＰを設置した場合は１１．０ｃｍであった。このように、移動するコーナーポストＣＰの数が多くなるほど、１箇所あたりのコーナーポストＣＰが内側に移動する距離は短くて済む。なお、上述の例では一辺５０ｍの矩形状の動物用恒久柵５の場合を説明しているが、動物用恒久柵５の形状は矩形状に限られるものではない。
【００２９】
ここで、図６（ｂ）、（ｃ）に示したように、ワイヤ２が引っ張られた時に、ワイヤ２を移動させることができる本発明の動物用恒久柵のコーナーポストＣＰを、いくつかの実施例に基づいて説明する。なお、以下に説明する実施例のコーナーポストＣＰは、全て剛性を備えて曲がり難く、地面Ｇに埋め込まれて固定される支柱７と、ワイヤ２を移動可能に保持することができる架線具８とを備えるものとする。
【００３０】
図９（ａ）は本発明のコーナーポストＣＰの第１の実施例の一部分を示すものである。第１の実施例のコーナーポストＣＰでは、支柱７に架線具８として、ワイヤ２が掛け渡されるプーリー１１の位置を移動させることができる、伸縮可能なワイヤ保持器２０が取り付けられている。支柱７は図示を省略した地面に埋め込まれ、ワイヤ保持器２０は支柱７に対してワイヤ２の段数と同じ数が取り付けられるが、図９（ａ）には１つのワイヤ保持器２０のみを示してある。他のワイヤ保持器２０の構造は図９（ａ）に示すワイヤ保持器２０と同じである。
【００３１】
ワイヤ保持器２０は、支柱７に固定されるブラケット２１、ブラケット２１に対して回転軸２２で取り付けられて上下方向に回動できる第１アーム２３、第１アーム２３の先端部に回転軸２４で取り付けられて上下方向に回動できる第２アーム２５を備える。また、第２アーム２５の先端部には回転軸２６で取り付けられて上下方向に回動できるループ状の留め具２７が取り付けられており、留め具２７の先端部には留め具２７の一端を回転軸として水平方向に回転できるプーリー１１が設けられている。そして、プーリー１１にワイヤ２が掛け渡されており、プーリー１１は水平方向に回転できることから、ワイヤ２はプーリー１１を回転させながら水平方向に移動することが可能である。更に、第１アーム２３と第２アーム２５の間には、第２アーム２５を第１アーム２３側に引き寄せるバネ２８が取り付けられている。
【００３２】
以上のような構造を備えるワイヤ保持器２０が設置されたコーナーポストＣＰでは、図５（ｃ）に示したように、動物Ａによってワイヤ２が引っ張られると、プーリー１１が支柱７から離れる方向に引っ張られる。すると、図９（ａ）に示した構造を備えるワイヤ保持器２０は、図９（ｂ）に示すように、バネ２８に抗して第２アーム２５が第１アーム２３から離れる方向に回転し、同時に第１アーム２３も回転軸２２を中心にして上側に回転する。この結果、ワイヤ２を保持するプーリー１１が支柱７に対して離れる方向に移動すると共に、回転してワイヤ２を移動させることができる。
【００３３】
前述のように、一般に５０ｍ程度の動物用柵に第１実施例のコーナーポストＣＰを使用する場合は、ワイヤ２が引っ張られた時に、プーリー１１が支柱７に対して約２０ｃｍ程度移動できるように、第１アーム２３、第２アーム２５及び留め具２７の大きさを定めれば良い。動物がワイヤ２から外れ、荷重が解除されてワイヤ２が引っ張られなくなると、第１実施例のコーナーポストＣＰでは、ワイヤ保持器２０にあるバネ２８の収縮力で、留め具２０が図９（ａ）に示した状態に戻る。
【００３４】
なお、図９（ａ）に示した実施例では、留め具２７は、回転軸２６によって上下方向にのみ回動できるようになっている。一方、図９（ｃ）に示すように、留め具２７と第２アーム２５との連結部をユニバーサルジョイント２９とすれば、留め具２７は第２アーム２５の先端部に対して自由な方向に回動することができる。また、図９（ｄ）に示すように、留め具２７を別の留め具２７Ａによって第２アーム２５と搖動可能に連結することもできる。図９（ｃ）、（ｄ）に示した実施例では、ワイヤ２に引っ張り力が印加された場合に、プーリー１１が水平方向に移動することができる。更に、ブラケット２１は、図９（ｅ）に示すように支柱７に回転機構７Ｒを取り付けておけば、水平方向に回転できるようにすることもできる。
【００３５】
図１０（ａ）は本発明のコーナーポストＣＰの第２の実施例の構造を示すものである。第２の実施例のコーナーポストＣＰでは、支柱７に架線具８として、支柱７に対してプーリー１１を移動可能なワイヤ保持器３０が取り付けられている。支柱７は地面Ｇに埋め込まれ、ワイヤ保持器３０は支柱７に対してワイヤ２の段数（３段）と同じ数（３個）が取り付けられている。
【００３６】
第２の実施例のワイヤ保持器３０は、支柱７を水平方向に貫通する円柱のガイド孔３１と、ガイド孔３１を挿通するロッド３２及びワイヤ２に荷重がかからない状態で支柱７に対するロッド３２の位置を定めるバネ３６とを備える。ガイド孔３１は、支柱７を貫通する孔だけでも良いが、ガイド孔３１内を摺動するロッド３２の滑りを良くするために、孔の内側にスリーブが挿入されても良い。ガイド孔３１を挿通するロッド３２の、ガイド孔３１から突出する部分の一方には鉤状部３３があり、鉤状部３３にプーリー１１が回転可能に取り付けられている。なお、スリーブの断面形状とロッド３２の断面形状を合せることにより、ワイヤ保持器３０の鉤状部３３が下を向かないようにできる。ロッド３２の、ガイド孔３１から突出する部分の他方の先端部にはバネ受３４がナット３５で固定されており、バネ受３４と支柱７の外周面との間にはバネ３６が挿入されている。
【００３７】
バネ３６は圧縮バネ（スプリング）であり、負荷がない状態では伸びた状態になっており、プーリー１１の支柱７からの距離を定めている。第２の実施例のバネ３６のストロークは前述の条件（コーナーポスト間の距離５０ｍ）の時に、約２０ｃｍ程度にすれば良い。第１の実施例と同様に、図示を省略したワイヤ２が引っ張られると、ロッド３２がバネ３６を圧縮しながら移動し、プーリー１１が支柱７から最も遠い位置まで移動すると共に、回転してワイヤ２を移動させる。図１０（ｂ）に、プーリー１１が支柱７から最も遠い位置まで移動した状態が示されている。この状態はバネ３６が最も縮んだ状態である。
【００３８】
ワイヤ２が引っ張られなくなると、第２実施例のコーナーポストＣＰでは、バネ３６が伸長し、ワイヤ保持器３０は図１０（ａ）に示した状態に戻る。バネ３６は図１０（ａ）に示したコイルスプリングの他に、図１０（ｃ）に示すリーフスプリング３７や図１０（ｄ）に示すゴム体３８を使用することが可能である。ゴム体３８は中空でも良い。更に、ワイヤ２をコーナーポストＣＰの外側に掛け渡す場合には、プーリー１１が支柱７の外側にある図１０（ｅ）に示す変形例のワイヤ保持器３０Ａが可能である。ワイヤ保持器３０Ａの構成部材はワイヤ保持器３０と同じであるので、同じ構成部材には同じ符号を付してその説明を省略する。
【００３９】
図１１は本発明のコーナーポストＣＰの第３の実施例を示すものである。第３の実施例のコーナーポストＣＰでは、支柱７に架線具８として、支柱７に対してプーリー１１を移動可能なワイヤ保持器４０が取り付けられている。支柱７は地面Ｇに埋め込まれ、ワイヤ保持器４０は支柱７に対してワイヤ２の段数（３段）と同じ数（３個）が取り付けられている。
【００４０】
第３の実施例のワイヤ保持器４０は、支柱７を水平方向に貫通する円柱のガイド孔４１と、ガイド孔４１を挿通するケーブル４２、ケーブル４２の一端に連結された第１の実施例の留め具２７、ケーブル４２を回転保持するプーリー４３、プーリー取付部材４４、及びケーブル４２の他端に取り付けられたおもり４５とを備える。ケーブル４２はガイド孔４１に対して摺動可能に挿通され、ガイド孔４１の一方の開口から突出する端部に、第１の実施例で説明した留め具２７が取り付けられている。前述のように、留め具２７にはプーリー１１が回転保持されており、プーリー１１にワイヤ２が掛け渡されている。
【００４１】
支柱７に設けられたガイド孔４１の下方には、プーリー取付部材４４が設けられており、留め具２７と反対側のプーリー取付部材４４には回転軸４６でプーリー４３が回転可能に取り付けられている。ガイド孔４１の他方の開口から突出するケーブル４２の他端にはおもり４５が取り付けられており、ガイド孔４１の他方の開口から突出するケーブル４２はおもり４５によって支柱７に沿って垂れ下がる。プーリー取付部材４４に回転軸４６で軸支されたプーリー４３は、ガイド孔４１の他方の開口から突出するケーブル４２を回転保持してその方向を下側に向ける。なお、プーリー４３のように回転する部材の代わりに、ワイヤ２が滑り易い部材を支柱７に取り付けて置いても良い。
【００４２】
前述の実施例と同様に、動物によってワイヤ２が引っ張られると、ワイヤ２が留め具２７を引っ張り、留め具２７のプーリー１１を回転させながら移動する。また、留め具２７が引っ張られると、留め具２７に連結されたケーブル４２が、他端に取り付けられたおもり４５を引き上げながらガイド孔４１内を移動する。この時、ケーブル４２はプーリー４３を回転させながらおもり４５を引き上げ、留め具２７が破線で示す位置まで移動した時に、おもり４５が破線で示す位置まで引き上げられる。
【００４３】
ワイヤ２が引っ張られなくなると、第３実施例のコーナーポストＣＰでは、おもり４５の重量でケーブル４２が引き下げられ、ワイヤ保持器４０は図１１に実線で示した初期状態に戻る。第３の実施例のケーブル４２が移動できる長さは、前述の条件（コーナーポスト間の距離５０ｍ）の時に、約２０ｃｍ程度にすれば良い。また、ガイド孔４１は、支柱７を貫通する孔だけでも良いが、ガイド孔４１内を移動するケーブル４２の滑りを良くするために、ガイド孔４１の内側にスリーブが挿入されても良い。
【００４４】
図１２は本発明のコーナーポストＣＰの第４の実施例を示すものである。第４の実施例のコーナーポストＣＰでは、支柱７に架線具８として支柱７に対してプーリー１１を移動可能なワイヤ保持器５０が取り付けられている。ワイヤ保持器５０は、支柱７に固定されるブラケット５１、ブラケット５１に連結される第１アーム５３、第１アーム５３に連結される第２アーム５５、第１と第２アーム５３、５５の連結部に取り付けられるおもり５７及び第１の実施例と同様の留め具２７を備える。ワイヤ保持器５０は、支柱７に架け渡されるワイヤ２の段数に合わせて３つが支柱７に固定されている。
【００４５】
第１アーム５３は、その一端が回転軸５２でブラケット５１に対して上下方向に回動可能に取り付けられている。第２アーム５５は、第１アーム５３の先端部に、回転軸５４によって上下方向に回動可能に取り付けられている。また、第２アーム５５の自由端部には、第１の実施例と同じ留め具２７が回転軸５６によって上下方向に回転可能に取り付けられている。更に、第１と第２アーム５３、５５を連結する連結部である回転軸５４には、連結部を地面方向に移動させる力を与えるおもり５７が取り付けられている。留め具２７は第１の実施例と同様に第２アーム５５の先端部に取り付けられている。
【００４６】
以上のような構造を備えるワイヤ保持器５０が設置されたコーナーポストＣＰでは、動物によってワイヤ２が引っ張られると、プーリー１１が支柱７から離れる方向に引っ張られる。すると、図１２に示した支柱７の真ん中に取り付けられたワイヤ保持器５０のように、回転軸５４を中心にして、第２アーム５５が第１アーム５３から離れる方向に回転し、同時に第１アーム５３も回転軸５２を中心にして上側に回転する。この結果、ワイヤ２を保持するプーリー１１が支柱７に対して離れる方向に移動すると共に、回転してワイヤ２を移動させることができる。
【００４７】
前述のように、一般が５０ｍ程度の動物用柵に第１実施例のコーナーポストＣＰを使用する場合は、ワイヤ２が引っ張られた時に、プーリー１１がポストに対して約２０ｃｍ程度移動できるように、第１アーム５３、第２アーム５５及び留め具２７の大きさを定めれば良い。ワイヤ２が引っ張られなくなると、第４実施例のコーナーポストＣＰでは、回転軸５４に取り付けられたおもり５７が回転軸５４を地面方向に移動させる力を与える。この結果、第２アーム５５が第１アーム５３に近づくように回転して、元の状態に戻る。第４の実施例でも、留め具２７と第２アーム５５との連結部を、図９（ｃ）に示したユニバーサルジョイント２９や図９（ｄ）に示した機構とすれば、留め具２７は第２アーム５５の先端部に対して自由な方向に回動することができる。
【００４８】
図１３（ａ）は本発明のコーナーポストＣＰの第５の実施例を示すものである。第５の実施例のコーナーポストＣＰでは、支柱７に架線具８として支柱７に対してプーリー１１を移動可能なワイヤ保持器６０が取り付けられている。支柱７は一端から所定長さが地面Ｇに埋め込まれ、地面に対して垂直方向に立設されており、補強部材１３によって倒れ難くなっている。第５の実施例のワイヤ保持器６０は、支柱７にネジ１２で固定されるブラケット６１、ブラケット６１に対して中央部がネジ１２で固定された弾性部材から形成されたアーム６２、及びアーム６２の両端部に回転可能に取り付けられたプーリー１１を備える。プーリー１１はアーム６２の両端部に係止部材６３で係止されて回転可能になっている。なお、プーリー１１に掛け渡されるワイヤの図示は省略してある。
【００４９】
以上のような構造を備えるワイヤ保持器６０が設置されたコーナーポストＣＰでは、動物によってワイヤが引っ張られると、プーリー１１が支柱７から離れる方向に引っ張られる。すると、図１３（ａ）に示した構造を備えるワイヤ保持器６０は、図１３（ｂ）に示すように、弾性部材から形成されたアーム６２が撓み、ワイヤを保持するプーリー１１が支柱７に対して離れる方向に移動すると共に、回転してワイヤを移動させることができる。
【００５０】
前述のように、一般が５０ｍ程度の動物用柵に第５実施例のコーナーポストＣＰを使用する場合は、ワイヤが引っ張られた時に、プーリー１１がポストに対して約２０ｃｍ程度移動できるように、アーム６２の長さ、材質、直径を定めれば良い。ワイヤが引っ張られなくなると、第５実施例のコーナーポストＣＰでは、弾性部材から形成されたアーム６２の復元力で、アーム６２が図１３（ａ）に示した状態に戻る。第５の実施例でも、図示は省略するが、プーリー１１をアーム６２に対して水平方向に回転させる機構（図１７で後述）を追加し、ワイヤを常に水平方向に保持することは可能である。
【００５１】
図１４（ａ）は本発明のコーナーポストＣＰの第６の実施例を示すものである。第６の実施例のコーナーポストＣＰでは、支柱７に架線具８として支柱７に対してプーリー１１を移動可能なワイヤ保持器７０が取り付けられている。第５の実施例のワイヤ保持器７０では、支柱７に２段にワイヤを張設することが可能であったが、第６の実施例のワイヤ保持器７０では、支柱７に３段にワイヤを張設することが可能である。第６の実施例のワイヤ保持器７０において使用される第５の実施例のワイヤ保持器６０と同じ部材には、同じ符号を付して説明する。支柱７は一端から所定長さが地面Ｇに埋め込まれ、地面に対して垂直方向に立設されており、補強部材１３によって倒れ難くなっている。
【００５２】
第６の実施例のワイヤ保持器７０では、支柱７にネジ１２で固定されるブラケット６１、ブラケット６１に対して中央部がネジ１２で固定された弾性部材から形成されたアーム６２、及びアーム６２の両端部に回転可能に取り付けられたプーリー１１に加えて、アーム６２に取り付けられる増設アーム７２を備える。増設アーム７２の長さはアーム６２よりも短く、増設アーム７２の基部は連結部材７１によって、ブラケット６１の下側に延伸されるアーム６２のプーリー１１より上側の端部に取り付けられている。増設アーム７２は、連結部材７１でアーム６２に取り付けられた状態で、その先端部がアーム６２から離間しており、この先端部にアーム６２と干渉しない状態でプーリー１１が、係止部材６３によって回転可能に取り付けられている。なお、アーム６２の両端部及び増設アーム７２の先端部にあるプーリー１１に掛け渡されるワイヤの図示は省略してある。
【００５３】
以上のような構造を備えるワイヤ保持器７０が設置されたコーナーポストＣＰでは、動物によってワイヤが引っ張られると、プーリー１１が支柱７から離れる方向に引っ張られる。すると、図１４（ａ）に示した構造を備えるワイヤ保持器７０は、図１４（ｂ）に示すように、弾性部材から形成されたアーム６２及び増設アーム７２が撓み、ワイヤを保持するプーリー１１が支柱７に対して離れる方向に移動すると共に、回転してワイヤを移動させることができる。
【００５４】
前述のように、一般に５０ｍ程度の動物用柵に第６実施例のコーナーポストＣＰを使用する場合は、ワイヤが引っ張られた時に、プーリー１１がポストに対して約２０ｃｍ程度移動できるように、アーム６２及び増設アーム７２の長さ、材質、直径を定めれば良い。ワイヤが引っ張られなくなると、第６の実施例のコーナーポストＣＰでは、弾性部材から形成されたアーム６２及び増設アーム７２の復元力で、アーム６２及び増設アーム７２が図１４（ａ）に示した状態に戻る。第６の実施例でも、図示は省略するが、プーリー１１をアーム６２及び増設アーム７２に対して水平方向に回転させる機構（図１７で後述）を追加し、ワイヤを常に水平方向に保持することは可能である。
【００５５】
図１５（ａ）、（ｂ）は本発明のコーナーポストＣＰの第７の実施例を示すものである。第７の実施例のコーナーポストＣＰでは、支柱７に架線具８として支柱７に対してプーリー１１を移動可能なワイヤ保持器８０が取り付けられている。第７の実施例のコーナーポストＣＰに用いるワイヤ保持器８０には、コイルバネ８１を使用する。コイルバネ８１としては、その２本の脚８２、８３がなす角度が９０度のものを使用する。コイルバネ８１の、一方の脚８２には係止部材６３を用いてプーリー１１を回転可能に取り付け、他方の脚８３は先端を先細に形成すると共にネジ部８４を形成する。
【００５６】
以上のような構造を備える第７の実施例のコーナーポストＣＰに用いるワイヤ保持器８０は、図１５（ｃ）に示すように、地面Ｇに立設された支柱７の、ワイヤを張設する部位の側面に、ネジ部８４を水平方向にねじ込んで取り付ける。本図にもワイヤの図示は省略してある。ワイヤ保持器８０が設置されたコーナーポストＣＰでは、動物によってワイヤが引っ張られると、プーリー１１が支柱７から離れる方向に引っ張られる。すると、図１５（ａ）〜（ｃ）に示した構造を備えるワイヤ保持器８０は、図１５（ｄ）に示すように、コイルバネ８１が捩れ、脚８３に対して脚８２が開き、ワイヤを保持するプーリー１１が支柱７に対して離れる方向に移動すると共に、回転してワイヤを移動させることができる。
【００５７】
前述のように、一般が５０ｍ程度の動物用柵に第７実施例のコーナーポストＣＰを使用する場合は、ワイヤが引っ張られた時に、プーリー１１がポストに対して約２０ｃｍ程度移動できるように、脚８２の長さ、材質、直径を定めれば良い。ワイヤが引っ張られなくなると、第７の実施例のコーナーポストＣＰでは、コイルバネ８１の捩れが戻り、ワイヤ保持器８０が図１５（ｃ）に示した状態に戻る。第７の実施例でも、図示は省略するが、プーリー１１を脚８２に対して水平方向に回転させる機構を追加し、ワイヤを常に水平方向に保持することは可能である。
【００５８】
図１６（ａ）は本発明のコーナーポストＣＰの第８の実施例を示すものである。第８の実施例のコーナーポストＣＰでは、支柱７に架線具８として支柱７に対してプーリー１１を移動可能なワイヤ保持器９０が取り付けられている。コーナーポストＣＰの第８の実施例に使用するワイヤ保持器９０は、支柱７に水平方向に設けられた第１ガイド孔９１及び第２ガイド孔９２、複数個のプーリーを保持するプーリー軸９３、プーリー軸９３の下端を回転可能に保持するロッド９４、ロッド９４に取り付けられる付勢部材（圧縮バネ）９５、プーリー軸９３の上端に接続するケーブル９６及びケーブル９６を引っ張るおもり９７を備える。
【００５９】
第１ガイド孔９１は、支柱７の地面Ｇに近い部位で、支柱７を水平方向に貫通しており、その内部をロッド９４が移動可能に挿入される。第２ガイド孔９２は、支柱７の先端部近傍に支柱７を水平方向に貫通しており、内部にケーブル９６が移動可能に挿入される。プーリー軸９３は複数個のプーリー１１を串刺し状態で回転可能に保持するものであり、各プーリー１１の間のプーリー軸９３には、プーリー１１とプーリー１１の間に間隔を設けるためのリング状のスペーサ１４が挿入されても良い。プーリー軸９３の下端部近傍には複数のプーリー１１とスペーサ１４を係止するフランジ９３Ｆがある。
【００６０】
ロッド９４は第１ガイド孔９１に対して移動可能に挿通され、第１ガイド孔９１の一方の開口から突出する端部にプーリー軸９３の下端を回転保持するプーリー軸回転保持部９８を備え、第１ガイド孔９１の他方の開口から突出する端部にナット９４Ｎで固定されたバネ受９４Ｆを備える。バネ受け９４Ｆと支柱７との間のロッド９４には付勢部材９５として圧縮バネ９５が挿通されている。
【００６１】
ケーブル９６は第２ガイド孔９２に対して移動可能に挿通され、第２ガイド孔９２の一方の開口から露出する端部にプーリー軸９３と係合するフック部９６Ｈを備え、第２ガイド孔９２の他方の開口から露出する端部にはおもり９７が取り付けられている。おもり９７によって第２ガイド孔９２の他方の開口から露出するケーブル９６は支柱７に沿って垂れ下がるので、第２ガイド孔９２の下方の支柱７の側面には、ケーブル９６を回転保持してケーブル９６の方向を変更するプーリー９９が設けられている。また、フック部９６Ｈにはストッパ９６Ｓが設けられているので、ケーブル９６がおもり９７で引っ張られても、フック部９６Ｈはストッパ９６Ｓが支柱７に係止された状態で留まる。
【００６２】
フック部９６Ｈがストッパ９６Ｓで支柱７に係止され、付勢部材９５が伸びきった状態でロッド９４が位置決めされた状態では、プーリー軸９３は支柱７にほぼ平行になるようにフック部９６Ｈの大きさ及び付勢部材９５の長さが設定されている。ワイヤはプーリー軸９３に回転可能に取り付けられた複数のプーリー１１の何れかに、支柱７に張設するワイヤの高さと数に応じて掛け渡せば良い。
【００６３】
第８実施例のコーナーポストＣＰに使用される第８の実施例のワイヤ保持器９０は、動物によってワイヤに引張力が作用すると、付勢部材９５を圧縮しながらプーリー軸９３の下端を移動させると共に、おもり９７を引き上げながらケーブル９６を移動させることにより、ワイヤを保持するプーリー１１が支柱７に対して離れる方向に移動すると共に、回転してワイヤを移動させることができる。
【００６４】
前述のように、一般が５０ｍ程度の動物用柵に第５実施例のコーナーポストＣＰを使用する場合は、ワイヤが引っ張られた時に、プーリー１１がポストに対して約２０ｃｍ程度移動できるように、付勢部材９５のストロークとケーブル９６の長さを定めれば良い。ワイヤが引っ張られなくなると、第８の実施例のコーナーポストＣＰでは、付勢部材９５が伸長し、ケーブル９６がおもり９７に引っ張られてフック部９６Ｈのストッパ９６Ｓが支柱７に当接するまで移動するので、ワイヤ保持器９０が図１６（ａ）に示した状態に戻る。
【００６５】
以上説明したように、本発明の動物用柵のコーナーポストは、動物がワイヤを引っ張ってワイヤが掛け渡されたプーリーを移動させると、ワイヤ保持器がプーリーを支柱から離す方向に移動させ、ワイヤもプーリーを回転させて移動するので、ワイヤに大きな負荷が加わらずワイヤの切断が防止される。また、ワイヤへの動物による荷重が解放された後にはワイヤ保持器の復元力により、ワイヤを元の張設状態に戻すことが出来る。本発明の動物用柵のコーナーポストに使用できるワイヤ保持器は、ワイヤが引っ張られた時にプーリーを移動させると共にワイヤを移動させる構造のものであれば、以上説明した実施例に限定されるものではない。
【００６６】
ここで、図１７（ａ）から（ｅ）を用いて本発明のコーナーポストＣＰに使用できるプーリー１１の構造を、幾つかの例を用いて説明する。コーナーポストＣＰとしては、例えば、図１３に示したコーナーポストＣＰを例に取り、そのワイヤ保持器６０に取り付けることができるプーリー１１を説明する。
【００６７】
図１７（ａ）に示す例では、プーリー１１がアーム６２から外れないようにプーリー１１の両側を係止する係止部材６３の一方が、プーリー１１の溝１１Ｍを横切るように延長された延長部６３Ｅを備え、この延長部６３Ｅがワイヤ外れ止めになっている。図１７（ｂ）に示す例では、アーム６２が傾いてプーリー１１が傾いても、プーリー１１の溝１１Ｍに保持されたワイヤが溝１１Ｍから外れないように、溝１１Ｍの断面形状がＶ字状になっている。図１７（ｃ）に示す例では、図１７（ａ）に示したワイヤ外れ止め付プーリー１１が、回動軸６４が設けられたアーム６２の回動軸６４より先端側に取り付けられており、搖動可能になっている。
【００６８】
図１７（ｄ）に示す例では、ワイヤ保持器６０のアーム６２に取り付けられたプーリー１１の構造に変わりがないが、プーリー１１巻き付けるワイヤ２が、プーリー１１に対して２回巻きの状態で取り付けられている。プーリー１１に対してワイヤ２を２回巻き付けると、プーリー１１が傾いても、プーリー１１からワイヤが外れ難い。図１７（ｅ）に示す例では、アーム６２の側面に突設された板状の突起６５に回転軸６６でプーリー保持板６７が回動自在に取り付けられている。そして、プーリー保持板６７の自由端部に設けられた筒状部６８に、リング状のプーリーの留め具６９の直線部が回転可能に保持されている。この構造により、プーリー１１はアーム６２に対して３次元方向に移動が可能することができる。
【００６９】
図９（ｅ）において、ブラケット２１と支柱７との間に取り付けた回転機構７Ｒにより、ブラケット２１が水平方向に回転できるようにした実施例を説明した。この実施例の応用として、回転機構７Ｒを支柱７の回りを回転できるスリーブ７Ｒ１とした、第９の実施例が可能である。これを図１８及び図１９を用いて説明する。
【００７０】
図１８は、コーナーポストＣＰの第９の実施例の組み立てを説明するものである。第９の実施例のコーナーポストＣＰは、前述の伸縮可能なワイヤ保持器２０をスリーブ７Ｒ１に固定し、このスリーブ７Ｒ１を複数個、支柱７に挿通させることによって組み立てられる。支柱７に挿通したスリーブ７Ｒ１は、支柱７に対して回転可能な回転機構である。ワイヤ保持器２０が固定された複数個のスリーブ７Ｒ１を支柱７に挿通した後は、スリーブ７Ｒ１が支柱７から外れないように、支柱７の先端部にキャップ１５を取り付ける。
【００７１】
図１９は、耕作地Ｃに突設された支柱７に、ワイヤ保持器２０がそれぞれ固定された３個のスリーブ７Ｒ１が挿通されて形成された第９の実施例のコーナーポストＣＰの構造を示すものである。支柱７に挿通された３個のスリーブ７Ｒ１は、それぞれ独立に支柱７の回りを回転することができる。よって、第９の実施例のコーナーポストＣＰでは、ワイヤ２の何れかが引っ張られた場合でも、引っ張られたワイヤ２に対応するスリーブ７Ｒ１が回転することによって、ワイヤ２の変形を吸収することができる。
【００７２】
第９の実施例のコーナーポストＣＰは、耕作地Ｃに突設された支柱７に、ワイヤ保持器２０が固定されたスリーブ７Ｒ１を必要な数だけ取り付けるだけで済むので、設置及び撤去の時間及び労力が大幅に削減できる。また、スリーブ７Ｒ１が回転することにより、ワイヤ２にかかる応力を分散でき、ワイヤ２が引っ張られても支柱７に加わる力を低減でき、コーナーポストの倒壊を防止できる。そして、スリーブ７Ｒ１を絶縁体で形成すれば、コーナーポストＣＰとワイヤ２の間の漏電を防止することができる。なお、スリーブ７Ｒ１の内周面に、スリーブ７Ｒ１の抜け防止用の爪を少なくとも１箇所に設けておけば、スリーブ７Ｒ１を支柱７から抜け難くすることができる。爪の形状、設置個数は特に限定されるものではない。
【００７３】
第９の実施例のコーナーポストＣＰに設けた回転機構であるスリーブ７Ｒ１は、伸縮しないワイヤ保持器を取り付けて、以上説明した実施例のコーナーポストＣＰと共に用いる中間ポストに使用すると効果的である。よって、ここで、スリーブ７Ｒ１を用いた中間ポストの実施例を幾つか説明する。
【００７４】
図２０（ａ）は、コーナーポストＣＰと共に用いる中間ポストＭＰの回転機構であるスリーブ７Ｒ１の第１の実施例の組み立てを示すものであり、図２０（ｂ）は図２０（ａ）の組み立て方法により組み立てられた中間ポストＭＰの部分斜視図である。支柱７が挿通するスリーブ７Ｒ１の第１の実施例は、スリーブ７Ｒ１の側面に２つのワイヤ保持突起１６が突設されて形成される。ワイヤ保持突起１６の先端部にはピン孔１６Ｈが設けられており、ピン孔１６Ｈにピン１７が挿通されたスリーブ７Ｒ１を複数個支柱７に取り付け、先端部にキャップ１５をとりつけると、図２０（ｂ）に示すような中間ポストＭＰが形成される。ワイヤは２つのワイヤ保持突起１６とピン１７で囲まれる空間に挿通することができる。
【００７５】
図２１は、図２０（ｂ）に示した中間ポストＭＰの変形例を示す部分斜視図である。この変形例では、２つのスリーブ７Ｒ１の間にスペーサ１４が挿入されている。スリーブ７Ｒ１の、支柱７に挿通する方向の長さを一定に形成した場合でも、スペーサ１４の長さを変更することにより、２つのスリーブ７Ｒ１の間に掛け渡すワイヤの間隔を調整することができる。
【００７６】
図２２（ａ）は、コーナーポストと共に用いる中間ポストの回転機構であるスリーブ７Ｒ１の第２の実施例を示す斜視図である。支柱７が挿通されるスリーブ７Ｒ１の第２の実施例は、スリーブ７Ｒ１の側面に、略Ｌ字状の２つのアーム１８が突設されて形成されている。２つのアーム１８の、スリーブ７Ｒ１に接続する側からスリーブ７Ｒ１に沿って伸びる方向は互いに逆方向であり、２つのアーム１８の間には、ワイヤが挿通できる隙間がある。
【００７７】
第２の実施例のスリーブ７Ｒ１に設けられた２つのアーム１８に、ワイヤ２を保持させる時は、図２２（ｂ）に示すように、２つのアーム１８の間にある隙間にワイヤ２を通した後に、ワイヤ２を両側に引っ張れば良い。図２２（ｃ）は、図２２（ｂ）に示した方法によってスリーブ７Ｒ１にワイヤ２が保持された状態を示すものである。
【００７８】
図２３は、コーナーポストと共に用いる中間ポストの回転機構であるスリーブ７Ｒ１の第３の実施例を示す斜視図である。第３の実施例のスリーブ７Ｒ１の外周部には、複数のフランジ１９が設けられている。複数のフランジ１９は、等間隔で形成することができる。そして、複数のフランジ１９の外周部近傍の、スリーブ７Ｒ１に平行な同じ位置には、ピンを挿通するためのピン孔が設けられており、これらのピン孔にピン１７を挿通することにより、１つのスリーブ７Ｒ１に複数のワイヤ保持部が形成される。よって、第３の実施例の中間ポストＭＰでは、ワイヤ２の張設高さに応じて使用するワイヤ保持部を決めることができる。
【００７９】
図２４（ａ）は、コーナーポストと共に用いる中間ポストの回転機構であるスリーブ７Ｒ１の第４の実施例の組み立てを示す組立斜視図であり、図２４（ｂ）は図２４（ａ）の組み立て方法により組み立てられたスリーブ７Ｒ１の斜視図である。第４の実施例のスリーブ７Ｒ１には、ワイヤ保持器１００が取り付けられる。ワイヤ保持器１００は、第１アーム１０１及び第２アーム１０２が設けられた本体１０３が、スリーブ７Ｒ１の外周面に取り付けられ、抑えバネ１０５によって固定される。第１アーム１０１と第２アーム１０２の間にはギャップ１０４があり、本体１０３はこのギャップ１０４の間隔を大きくすることができるバネ性を備えた柔軟な部材、例えば合成樹脂またはバネ性を備える金属から形成されている。
【００８０】
スリーブ７Ｒ１にワイヤ保持器１００を取り付ける場合は、本体１０３を撓ませることによって、第１アーム１０１と第２アーム１０２の間のギャップ１０４を開いて、スリーブ７Ｒ１を挟み込む。スリーブ７Ｒ１を挟み込んだ本体１０３は、バネ性により元の形状に戻る。本体１０３のバネ性はそれほど強くないので、本体１０３のギャップ１０４の反対側から抑えバネ１０５を嵌め込んで、本体１０３がスリーブ７Ｒ１から外れないようにする。また、第１と第２のアーム１０１、１０２は、スリーブ７Ｒ１に接続する側からスリーブ７Ｒ１に沿って伸びる方向は互いに逆方向であるので、ギャップ１０４を通して第１と第２のアーム１０１、１０２の間にワイヤを挿通できる。
【００８１】
図２５（ａ）、（ｂ）は、コーナーポストと共に用いる中間ポストＭＰの回転機構の第５の実施例を示すものであるが、第１から第４の実施例のスリーブ７Ｒ１が外周部に溝を備えるフレックス管で形成されたスリーブ７Ｒ２に変更になっている。図２５（ａ）、（ｂ）に示したスリーブ７Ｒ２には螺旋状の溝が設けられている。第５の実施例のスリーブ７Ｒ２には、ワイヤ保持器１１０が取り付けられる。ワイヤ保持器１１０は、バネ性のあるワイヤで形成することができる。ワイヤ保持器１１０は、その環状部をスリーブ７Ｒ２の螺旋状の溝に合せて回転させ、スリーブ７Ｒ２の溝に沿って中央部に移動させることにより、スリーブ７Ｒ２に取り付けることができる。
【００８２】
図２６は、コーナーポストと共に用いる中間ポストの回転機構の第６の実施例を示すスリーブ７Ｒ２の斜視図である。第５の実施例のスリーブ７Ｒ２は、螺旋状の溝を備えるフレックス管で形成されていたが、第６の実施例のスリーブ７Ｒ２は、平行溝を備えるフレックス管で形成されている。このため、スリーブ７Ｒ２に取り付けるワイヤ保持器１２０は、フック部の係合を外し、ワイヤ２を通す部分を支点にして左右に開き、スリーブ７Ｒ２を挟んだ後に、フック部を再び係合させることによって、スリーブ７Ｒ２に取り付けることができる。
【００８３】
図２７（ａ）は、コーナーポストと共に用いる中間ポストの回転機構の第７の実施例を示すものであり、スリーブ７Ｒ３及びスリーブ７Ｒ３の側面を移動できるワイヤ保持器１３０が示されている。第１から第４の実施例のスリーブ７Ｒ１は円筒状であったが、第７の実施例のスリーブ７Ｒ３は、その側面にスライドガイド１３１が設けられており、樹脂で成形されたものである。スライドガイド１３１には、２つの側壁１３２に挟まれたスライド溝１３３があり、スライド溝３３の底面には、図２７（ｂ）に示すような係止突起１３４が設けられている。
【００８４】
一方、スライドガイド１３１に設けられたスライド溝１３３をスライドするワイヤ保持器１３０は、フランジ１３５を備えるスライダ１３６と、スライダ１３６の外面に設けられた２本のアーム１３７を備える。２本のアーム１３７は、図２２（ａ）に示したアーム１８と同じ構造を備える。また、スライダ１３６の底面には、図２７（ｃ）に示すように、スライド溝１３３の名面に設けられた係止突起１３４に係合する突起１３８が設けられている。ワイヤ保持器１３０、は図２７（ａ）に示すように、スリーブ７Ｒ３の下側から、フランジ１３５をスライド溝１３３に嵌め込みながらスライドガイド１３１に取り付けられる。このとき、スライダ１３６の底面に設けられた突起１３８が、スライド溝１３３の底面に設けられた係止突起１３４の何れかに係合するので、一旦スライド溝１３３に嵌め込んだスライダ１３６は、上側には移動できるが、下側には移動できない。
【００８５】
図２７（ｄ）は、第７の実施例の回転機構が取り付けられた中間ポストＭＰの使用状況を示す斜視図である。中間ポストＭＰは、支柱７で、ワイヤ保持器１３０が取り付けられた複数のスリーブ７Ｒ３を挿通することによって形成される。ワイヤ保持器１３０のスライダ１３６に設けられたアーム１３７へのワイヤ２の取り付けは、図２２（ｂ）、（ｃ）で説明したように行えば良い。
【００８６】
図２８（ａ）は、コーナーポストと共に用いる中間ポストの回転機構の第８の実施例を示すものであり、スリーブ７Ｒ４及びスリーブ７Ｒ４の側面に設けられたワイヤ保持器１４０が示されている。第８の実施例のワイヤ保持器１４０は、スリーブ７Ｒ４の側面に突設された２つのレール１４１と、レール１４１を走行できるスライダ１４２を備えている。レール１４１の先端部には外側に突出するフランジ１４３があり、フランジ１４３の底面には、図２８（ｂ）に示すような凹凸部１４４が設けられている。更に、レール１４１には、フランジ１４３側からスリーブ７Ｒ４側に向かう斜めのワイヤ受入溝１４５が２組設けられている。
【００８７】
一方、レール１４１を走行できるスライダ１４２には、フランジ１４３に嵌め込まれるスライド溝１４６と、スライド溝１４６の両側からフランジ１４３を挟み込む側壁１４７がある。側壁１４７の内面には、フランジ１４３に設けられた凹凸部１４４に係合する凹凸部１４８が形成されている。スライダ１４２の側壁１４７は撓むことができるので、スライダ１４２は、凹凸部１４４に凹凸部１４８を係合させることにより、レール１４１の所定の位置で止めることができる。
【００８８】
図２８（ｃ）は、第８の実施例の回転機構が取り付けられた中間ポストＭＰの使用状況を示す側面図である。中間ポストＭＰは、支柱７で、ワイヤ保持器１４０が設けられた複数のスリーブ７Ｒ４を挿通することによって形成される。ワイヤ保持器１４０にスライダ１４２が取り付けられている状態で、ワイヤ保持器１４０にワイヤ２を保持させる場合は、ワイヤ２を保持させるワイヤ受入溝１４５の上からスライダ１４２をずらしてワイヤ受入溝１４５を開口させる。この状態で、ワイヤ受入溝１４５にワイヤ２を挿入し、スライダ１４２を移動させてワイヤ２が挿入されたワイヤ受入溝１４５の上で止めれば、ワイヤ２がワイヤ受入溝１４５から外れず、ワイヤ２がワイヤ保持器１４０に保持される。
【符号の説明】
【００８９】
１    ポスト
２    ワイヤ
３    補助ポスト
４    連結部材
５    動物用恒久柵
７    支柱
８    架線具
１１    プーリー
１４    スペーサ
１５    キャップ
２０、３０、４０、５０、６０、７０、８０、９０、１００、１１０、１２０、１３０、１４０    ワイヤ保持器
２１、５１、６１    ブラケット
２７、２７Ａ、６９    留め具
３１、４１、９１、９２    ガイド孔
４２、９６    ケーブル
２３、２５、５３、５５    アーム
４５、５７、９７    おもり
６２、７２    弾性アーム
８１    コイルバネ
７Ｒ１、７Ｒ２、７Ｒ３、７Ｒ４    スリーブ
ＣＰ    コーナーポスト
ＭＰ    中間ポスト
【図１】
0006706853.tif 000002
【図２】
0006706853.tif 000003
【図３】
0006706853.tif 000004
【図４】
0006706853.tif 000005
【図５】
0006706853.tif 000006
【図６】
0006706853.tif 000007
【図７】
0006706853.tif 000008
【図８】
0006706853.tif 000009
【図９】
0006706853.tif 000010
【図１０】
0006706853.tif 000011
【図１１】
0006706853.tif 000012
【図１２】
0006706853.tif 000013
【図１３】
0006706853.tif 000014
【図１４】
0006706853.tif 000015
【図１５】
0006706853.tif 000016
【図１６】
0006706853.tif 000017
【図１７】
0006706853.tif 000018
【図１８】
0006706853.tif 000019
【図１９】
0006706853.tif 000020
【図２０】
0006706853.tif 000021
【図２１】
0006706853.tif 000022
【図２２】
0006706853.tif 000023
【図２３】
0006706853.tif 000024
【図２４】
0006706853.tif 000025
【図２５】
0006706853.tif 000026
【図２６】
0006706853.tif 000027
【図２７】
0006706853.tif 000028
【図２８】
0006706853.tif 000029